(57)【要約】【課題】納骨室の換気を強制的且つ自動的に行い除湿、除菌及び害虫駆除を行うことができる納骨室の換気方法を提供する。を提供する。【解決手段】地下から一体的に中空箱型形状に画成された納骨室５と、納骨室５の上に載置された墓碑１とから構成されている霊廟の納骨室５の左右の壁に外部と連通する吸気口５ａ並びに排気口５ｂをそれぞれ穿設する。そして、吸気口５ａには害虫忌避剤蒸散装置３を、排気口５ｂには排気ファン２を取付ける。【選択図】  図１
2007284929.tif 000002
【特許請求の範囲】
【請求項１】
霊廟の納骨室に外部と連通する吸気孔並びに排気孔を設け、太陽電池あるいは商用電源からの電力供給を受けて駆動する排気ファンを前記排気孔に取付けて納骨室内の空気を排気すると共に、前記吸気孔から納骨室内に害虫忌避剤を蒸散導引することを特徴とする納骨室の換気方法。
【請求項２】
害虫忌避剤が天然のヒバオイル、ヒノキオイル、ラベンダーオイルの中から選択される一種又は２種以上を混合したものであることを特徴とする納骨室の換気方法。
【発明の詳細な説明】
【技術分野】
【０００１】
本発明は、霊廟の納骨室内の除湿及び害虫駆除をするために使用される納骨室の換気方法に関するものである。
【背景技術】
【０００２】
一般的に納骨室内は結露等により湿度が高く、空気が淀み、雑菌の繁殖等により異臭が発生する。また、ゲジやムカデなどの害虫が発生する温床となる。そこで、従来の納骨室では、カビや悪臭が発生するのを防ぐため、外部との通気孔を設けたり、納骨室内に除湿剤を設置する方法が採られている。
【０００３】
また、このような不衛生な環境下にある霊廟であっては、遺族など墓参する者の物故者に対する精神的な安堵感が得られないという問題もあった。
【０００４】
そこで、納骨室を強制的に換気し除湿するべく、太陽電池あるいは商用電源から電力の供給を受けて駆動するファンユニットを備えた吸排気ダクト等を設置した納骨室を備えた墓所が提案されている（例えば、特許文献１及び特許文献２参照。）。
【０００５】
【特許文献１】特開平９−４９３４７号公報
【特許文献２】特許第２６３１８３４号公報
【発明の開示】
【発明が解決しようとする課題】
【０００６】
本発明もまた上記のような問題点に鑑み、納骨室内部は不衛生であるという印象を払拭させ、物故者も清潔、快適な環境に居させてやりたいという遺族の心情にも配慮して創出されたものであり、納骨室の換気を強制的且つ自動的に行い除湿、除菌及び害虫駆除を行うことができる納骨室の換気方法を提供することを目的とする。
【課題を解決するための手段】
【０００７】
そこで、本発明の納骨室の換気方法は、霊廟の納骨室に外部と連通する吸気孔並びに排気孔を設け、太陽電池あるいは商用電源からの電力供給を受けて駆動する排気ファンを前記排気孔に取付けて納骨室内の空気を排気すると共に、前記吸気孔から納骨室内に害虫忌避剤を蒸散導引することを第１の特徴とする。また、害虫忌避剤が天然のヒバオイル、ヒノキオイル、ラベンダーオイルの中の一種又はこれらを混合したものであることを第２特徴とする。
【発明の効果】
【０００８】
本発明によれば、下記の優れた効果がある。
（１）日中は太陽電池パネルによって発電された電力エネルギーによって、排気ファンが自動的に駆動し納骨室内を換気して除湿を行うことができる。
（２）納骨室内に害虫忌避剤を蒸散させることにより、納骨室内におけるカビの発生や害虫類の棲息を抑制することができる。
（３）霊廟の衛生状態を高め、施主の物故者を慈しむ心情を表現できる。
（４）既設の霊廟にも取り付けることができる。
【発明を実施するための最良の形態】
【０００９】
以下に、本発明の実施の形態を図面に示す実施例に基づいて説明する。
図１は本発明に係る納骨室の換気装置を取り付けた状態の霊廟を示す正面図、図２は排気ファンユニットの説明図、図３は害虫忌避剤収納タンクの取付け状態を示す要部斜視図、図４は本発明に係る換気装置を取り付けた霊廟の一実施例を示す斜視図、図５は本発明に係る換気装置を取り付けた霊廟の他の実施例を示す斜視図である。
【実施例】
【００１０】
図１乃至図３に示すように、本発明の納骨室換気方法を実現する霊廟は、地下から一体的に中空箱型形状に画成された納骨室５と、該納骨室５の上に載置された墓碑１とから構成されている。ここで、納骨室５の左右の壁には外部と連通する吸気口５ａ並びに排気口５ｂがそれぞれ穿設される。そして、吸気口５ａには害虫忌避剤蒸散装置３が、排気口５ｂには、排気ファン２が取付けられる。
【００１１】
排気ファン２の円筒形の通気ダクト２ｂの内部には防水を施されたファン２ｃが取り付けられている。ファン２ｃにはモーター２ｄが連結されており、納骨室５の外部地上部の適宜位置に据え付けられに太陽電池６に送電コード７でもって接続され、太陽電池６から供給される電力により回動できるようにされている。通気ダクト２ｂは納骨室５の壁に穿設された排気孔５ｂに挿通されフードカバー２ａを金網２ｅを介して嵌合して取り付けられており、納骨室外部と通気可能に設けられている。ここで、排気ファン２は太陽電池６が発電しない雨天時及び夜間を除いて常時駆動し、納骨室５内の湿気や悪臭を帯びた空気を外部に排出する。
【００１２】
図３に示すように、害虫忌避剤蒸散装置３の液体状の害虫忌避剤８を収納するタンク３ｅはプラスチック製容器で、その内部に吸液綿３ｆが収容されると共に、頂部に蛇腹式の手動ポンプ３ｂを有する吸い上げ管３ｃが挿入され、この吸い上げ管３ｃには紐状の綿芯３ｄが挿通される。そして、ポンプ頂部に開けられた蒸散孔（小孔）３ａを塞いだ状態でポンプ３ｂを一度押圧作動すると、容器３内の害虫忌避剤８が綿芯３ｄの頂部まで吸い上げられる。この状態でポンプ３ｄ頂部を吸入口５ｂに差し込み、排気ファン２を駆動させると、その引圧により綿芯３ｄの頂部から害虫忌避剤８が納骨室５内に徐放的に蒸散される。害虫忌避剤８は連続的に順次吸い上げられ、排気ファン２が駆動している間は常に納骨室５内に害虫忌避剤８が蒸散された状態となる。
【００１３】
害虫忌避剤８としては、ヒバオイル、ヒノキオイル、ラベンダーオイル等の殺菌性の高い液体が用いられる。これらはそれぞれ単体で用いても良いし、望ましくは適宜混合することで、害虫の忌避効果のみならず芳香も得られる。
【００１４】
尚、図３乃至図５に示すように、通常、害虫忌避剤蒸散装置３は、墓碑１と同材質の石製のカバー４により隠蔽されている。また、このカバー４には通気を促すための若干の間隙４ａをカバーの下端に形成する良い。
【００１５】
以上のような構成によって、本発明の納骨室換気システムは太陽電池パネル７から電力が送られ排気ファン２が作動する。尚、家庭用の商用電源が接続可能な場所であれば、太陽電池パネル７に代えて、あるいは併設して商用電源を接続することも可能である。
【図面の簡単な説明】
【００１６】
【図１】本発明に係る納骨室の換気装置を取り付けた状態の霊廟を示す正面図である。
【図２】排気ファンユニットの説明図である。
【図３】害虫忌避剤蒸散装置の取付け状態を示す要部斜視図である。
【図４】本発明に係る換気装置を取り付けた霊廟の一実施例を示す斜視図である。
【図５】本発明に係る換気装置を取り付けた霊廟の他の実施例を示す斜視図である。
【符号の説明】
【００１７】
１      墓碑
２      排気ファン
２ａ    フードカバー
２ｂ    通気ダクト
２ｃ    ファン
２ｄ    モーター
２ｅ    金網
３      害虫忌避剤蒸散装置
３ａ    蒸散孔（小孔）
３ｂ    手動式ポンプ
３ｃ    吸い上げ管
３ｄ    綿芯
３ｅ    タンク
３ｆ    吸液綿
４      カバー
５      納骨室
５ａ    吸気口
５ｂ    排気口
６      太陽電池
７      送電コード
８      害虫忌避剤
【図１】
2007284929.tif 000003
【図２】
2007284929.tif 000004
【図３】
2007284929.tif 000005
【図４】
2007284929.tif 000006
【図５】
2007284929.tif 000007